(57)【要約】【課題】  赤ちゃん用おむつや、主に介護を必要とする高齢者や障害者向けの、尿や便を吸収保持する使い捨て尿パッド、テープ型おむつ、パンツ型おむつ及び生理用ナプキン、軽失禁パッド等を含む使い捨て吸収性物品において、パッケージから取り出した後であっても、その吸収能力を識別できる情報を付与した使い捨て吸収性物品を提供する。【解決手段】  液透過性トップシートと液不透過性バックシートとの間に吸収体を配置した吸収性本体を有する吸収性物品であって、前記吸収体の吸収能力を識別可能な識別部を有していることを特徴とする使い捨て吸収性物品。識別部は、排尿可能回数及び／又は１回の排尿吸収可能量の目安を識別するものである。【選択図】  図２
2008264232.tif 000002
【特許請求の範囲】
【請求項１】
液透過性トップシートと液不透過性バックシートとの間に吸収体を配置した吸収性本体を有する吸収性物品であって、前記吸収体の吸収能力を識別可能な識別部を有していることを特徴とする使い捨て吸収性物品。
【請求項２】
前記識別部は、排尿可能回数及び／又は1回の排尿吸収可能量の目安を識別するものであることを特徴とする請求項１記載の使い捨て吸収性物品。
【請求項３】
前記識別部は、前記吸収能力を外側から視認可能に表示する情報表示部であることを特徴とする請求項１又は２に記載の使い捨て吸収性物品。
【請求項４】
前記情報表示部は、前記吸収能力を所定形状に枠取りされた枠内に表示するものであることを特徴とする請求項３に記載の使い捨て吸収性物品。
【請求項５】
前記識別部は、前記吸収能力を読み取り可能な二次元バーコードであることを特徴とする請求項１又は２に記載の使い捨て吸収性物品。
【請求項６】
前記識別部は、前記吸収能力を読み取り可能に記録した無線ＩＣチップであることを特徴とする請求項１又は２に記載の使い捨て吸収性物品。
【請求項７】
前記識別部には、前記吸収能力に加えて、当該吸収性物品の使用方法、他の商品との推奨される組み合わせ、代替可能な他の吸収性物品、宣伝文、製造ロット番号、推奨使用期限、ｗｅｂアドレス、価格、販売店名及び外国語表記のうちの少なくとも一つの情報が読み取り又は視認可能に含まれていることを特徴とする請求項１〜６のいずれか１項に記載の使い捨て吸収性物品。
【請求項８】
前記識別部は、包装時の折り畳みライン上に設けられていることを特徴とする請求項１〜７のいずれか１項に記載の使い捨て吸収性物品。
【請求項９】
前記識別部は、ずれ止め用の粘着剤付与部を覆う剥離シートに設けられていることを特徴とする請求項１〜７のいずれか１項に記載の使い捨て吸収性物品。
【請求項１０】
前記識別部は、廃棄用テープに設けられていることを特徴とする請求項１〜７のいずれか１項に記載の使い捨て吸収性物品。
【発明の詳細な説明】
【技術分野】
【０００１】
本発明は、赤ちゃん用おむつや、主に介護を必要とする高齢者や障害者向けの、尿や便を吸収保持する使い捨て尿パッド、テープ型おむつ、パンツ型おむつ及び生理用ナプキン、軽失禁パッド等を含む使い捨て吸収性物品に関するものである。
【背景技術】
【０００２】
使い捨て吸収性物品、特に使い捨ておむつは、介護現場等ではさまざまな形態（たとえば、折る、畳む、重ねる）で使用される。たとえば、テープ型おむつとして、又はパンツ型外装部材をアウターとして使用してその中に尿パッドを入れて使用する場合がある。
【０００３】
このような吸収性物品では、使用する際に不都合が生じないように種々の工夫がされている。例えば、特許文献１には、おむつの前後を容易に区別可能とするために、腹部ウエスト周り部材に、前後方向を識別できる文字、図形、記号又は模様を付したおむつが開示されている。また、特許文献２には、おむつを積み重ねた状態であっても、そのサイズ等を識別可能とするために、バックシート面に特定の文字、図形、絵柄、色彩等の模様を配列した目印を付したおむつが開示されている。さらには、特許文献３には、パンツタイプのおむつにおいて、前後の区別がつきやすいように、腹側形成部材に色、柄、図形、模様、記号または文字を付し、それらのすべてが前身頃と後身頃でそれぞれ異ならせるおむつが開示されている。
【特許文献１】特許第３７８９１９７号公報、図１
【特許文献２】特開２００５−１７７１６０号公報、図１〜４
【特許文献３】特開２００５−２３７７６８号公報
【発明の開示】
【発明が解決しようとする課題】
【０００４】
ところで、吸収性物品、例えば尿パッドでは、その使用時間等に応じ、1回の排尿量や排尿回数等に合わせて吸収体の吸収能力の異なるものが用いられている。例えば、夜用と昼用とでは、吸収能力が異なるものが用いられている。そして、誤使用を防止するために、尿パッド等の吸収性物品のパッケージには、その吸収体の吸収能力を表示する文字情報、画像情報、アイコン、表などが付記されている。
ところが、介護現場では、尿パッド等の吸収性物品をパッケージから取り出した状態で棚に保管し、実際に使う際にその吸収性物品を搬送具（例えば、かごやワゴン）に載せて交換場所に運んで使うので、パッケージにその吸収体の吸収能力を表示しただけでは、使用現場でその吸収能力を正確に把握して着用者に最適な吸収性物品を選別できないという問題があった。
【０００５】
本発明の目的は、パッケージから取り出した後であっても、その吸収能力を識別できる使い捨て吸収性物品を提供することにある。
【課題を解決するための手段】
【０００６】
前記課題を解決するための本発明は、以下の各技術事項を基礎として構成されている発明である。
【０００７】
（１）液透過性トップシートと液不透過性バックシートとの間に吸収体を配置した吸収性本体を有する吸収性物品であって、前記吸収体の吸収能力を識別可能な識別部を有していることを特徴とする使い捨て吸収性物品。
【０００８】
（２）前記識別部は、排尿可能回数及び／又は1回の排尿吸収可能量の目安を識別するものであることを特徴とする（１）項に記載の使い捨て吸収性物品。
【０００９】
（３）前記識別部は、前記吸収能力を外側から視認可能に表示する情報表示部であることを特徴とする（１）項又は（２）項に記載の使い捨て吸収性物品。
【００１０】
（４）前記情報表示部は、前記吸収能力を所定形状に枠取りされた枠内に表示するものであることを特徴とする（３）項に記載の使い捨て吸収性物品。
【００１１】
（５）前記識別部は、前記吸収能力を読み取り可能な二次元バーコードであることを特徴とする（１）項又は（２）項に記載の使い捨て吸収性物品。
【００１２】
（６）前記識別部は、前記吸収能力を読み取り可能に記録した無線ＩＣチップであることを特徴とする（１）項又は（２）項に記載の使い捨て吸収性物品。
【００１３】
（７）前記識別部には、前記吸収能力に加えて、当該吸収性物品の使用方法、他の商品との推奨される組み合わせ、代替可能な他の吸収性物品、宣伝文、製造ロット番号、推奨使用期限、ｗｅｂアドレス、価格、販売店名及び外国語表記のうちの少なくとも一つの情報が読み取り又は視認可能に含まれていることを特徴とする（１）項〜（６）項のいずれか１項に記載の使い捨て吸収性物品。
【００１４】
（８）前記識別部は、包装時の折り畳みライン上に設けられていることを特徴とする（１）項〜（７）項のいずれか１項に記載の使い捨て吸収性物品。
【００１５】
（９）前記識別部は、ずれ止め用の粘着剤付与部を覆う剥離シートに設けられていることを特徴とする（１）項〜（７）項のいずれか１項に記載の使い捨て吸収性物品。
【００１６】
（１０）前記識別部は、廃棄用テープに設けられていることを特徴とする（１）項〜（７）項のいずれか１項に記載の使い捨て吸収性物品。
【発明の効果】
【００１７】
本発明の使い捨て吸収性物品によれば、吸収体の吸収能力を識別可能な識別部を有しているので、パッケージから取り出した後であっても、その吸収能力を識別でき、利用者に最適な吸収性物品を選別して装着可能となる。
【発明を実施するための最良の形態】
【００１８】
以下、本発明の使い捨て吸収性物品について説明する。ただし、本発明は、その発明を特定する事項を備える使い捨て吸収性物品を広く包含するものであり、以下の実施の形態に限定されるものではない。
【００１９】
図１は、本発明が適用されたパッド型の使い捨ておむつを内側から見た一部切り欠き平面図である。
使い捨ておむつ1（以下、単に「おむつ1」という。）は、いわゆる矩形状の尿パッドである。おむつ1は、液透過性のトップシート2と液不透過性のバックシート3との問に吸収体4を配置した吸収性本体（P）からなる。吸収性本体（P）の両側縁には伸縮弾性体5が伸長状態で配置されている。
【００２０】
トップシート２としては、一般的に衛生材料に用いられる素材を採用することができる。例えば、ポリエチレン系、ポリプロピレン系、ポリエステル系、その他の熱可塑性樹脂を原料とした合成繊維などからなる不織布、穴あき不織布、メッシュシートなどのシートを採用することができる。
【００２１】
バックシート３は、液不透過性のシートを単独で用いても良く、液不透過性シートを不織布と積層して用いてもよい。液不透過性のシートとしては、液体不透過性のポリエチレンシート、好ましくは、微孔を設けたポリエチレンシートや、熱可塑性樹脂にフィラーを加えて延伸して微孔を形成しているポリエチレンシートのような通気性、透湿性があり、かつ液体不透過性である合成樹脂シートを用いると、蒸れが少なく快適である。
【００２２】
バックシート３の外側には、手触り感を良好にし、フィルム独特の擦れ音をださないように、不織布を貼り付けてもよい。この場合の不織布としては、ポリエチレン系、ポリプロピレン系、ポリエステル系などの熱可塑性樹脂を原料とした合成繊維からなる不織布を用いることができる。
【００２３】
吸収体４は、木材パルプや非木材パルプを綿状に粉砕したフラッフパルプや親水性繊維（たとえば、アセテート繊維）などから選ばれたものを主材としたものに、粉末状又は繊維状の高吸水性樹脂（ＳＡＰ）を併用したものが好ましく、その他、型崩れ防止のために熱融着繊維等を混合したものを用いてもよい。また、高吸水性樹脂が液透過シートを突き抜けて飛び出すのを防ぐために、吸収体4の全体をティシュや親水性の不織布（たとえばスパンボンド、ＳＭＳなど）で包み込むことが好ましい。
【００２４】
伸縮弾性体５としては、天然ゴム、合成ゴムなどからなる糸ゴム、平ゴム、弾性ネット状シートを用いることができる。伸縮弾性体５は、着用者の体線に沿うようにおむつ１を湾曲させて漏れ防止の機能を付与することができる。
【００２５】
図２は、図１に示すおむつ１の裏面側の平面図である。バックシート３には、粘着剤付与部を有するずれ止め部６が設けられているとともに、吸収体４の吸収能力を識別可能な識別部としての情報表示部１０が外側から視認可能に印刷表示されている。
【００２６】
ずれ止め部６は、バックシート３の裏面に塗布された粘着剤層７と、当該粘着剤層７の塗布領域を覆う剥離シート８とを有し、おむつ１をパンツ型外装部材内に配置して使用する際にずれ止め用として用いられる。すなわち、剥離シート８を剥がし、粘着剤層7によっておむつ１をパンツ型外装部材内に接着すれば、おむつ１がパンツ型外装部材内で位置ずれすることがない。
【００２７】
情報表示部１０は外側から視認可能であればよく、バックシート３の外側に不織布が貼り付けられる場合には不織布に印刷表示するようにしても良く、あるいはバックシート３に印刷表示し、不織布を通して外側から視認可能とする構成であってもよい。
情報表示部１０は、太線の矩形枠１１で囲まれた領域内に、吸収体４の吸収能力を表示している。矩形枠１１内には、排尿可能回数の目安を表示する文字情報１２として数字「３」が表示されているとともに、３個の図形１３が表示され、数字「３」及び図形１３の個数により排尿可能回数の目安が３回である旨を表示している。図形１３の内側には、１回の排尿吸収可能量の目安を示す文字情報１４として数字「１５０」が表示され、この数字により１回の排尿吸収可能量の目安が１５０ｍ１である旨を表示している。なお、矩形枠１１や図形１３の線の太さ、数字「３」、「１５０」の太さを１ｍｍ以上に設定すれば、視認性が向上し、排尿可能回数や１回の排尿吸収可能量の目安を容易に識別できる。また、矩形枠１１、図形１３、数字「３」、「１５０」の印刷は、単色でもよく、複数の色を適宜組み合わせるようにしても良い。
【００２８】
情報表示部１０は各コーナー部及び中央部に合わせて６箇所に印刷表示されている。詳しく説明すると、各コーナー部の４箇所に情報表示部１０が設けられているとともに、包装時の折り畳みラインＸ−Ｘ線及びＹ−Ｙ線上の２箇所に情報表示部１０が設けられている。すなわち、ラインＸ−Ｘ線及びＹ−Ｙ線に沿っておむつ１が三つ折りされ、その折り畳まれたおむつ１が複数枚積層された状態で図示しないパッケージに収納されて包装される。そして、介護現場等においては、おむつ１を三つ折りに折り畳まれた状態のままパッケージから取り出して棚等の上に保管し、実際に使う際にそのおむつ１を搬送具（例えば、かごやワゴン）に載せて交換場所に運んで使用されるが、各コーナー部の４箇所に情報表示部１０が設けられているとともに、包装時の折り畳みラインＸ−Ｘ線及びＹ−Ｙ線上の２箇所に情報表示部１０が設けられているので、おむつ１の使用時に情報表示部１０を視認してそのおむつ１の吸収体４の吸収能力を正確に把握できる。特に、包装時の折り畳みラインＸ−Ｘ線及びＹ−Ｙ線上の２箇所に情報表示部１０が設けられているので、介護現場等においては、図３に示されるようにおむつ１を三つ折りに折り畳まれた状態のままパッケージから取り出して棚等の上に保管した状態であっても、情報表示部１０を確実に視認でき、そのおむつ１の吸収体４の吸収能力を正確に把握できる。
【００２９】
なお、情報表示部１０の配置箇所の数は、必要に応じて適宜増減することが可能である。また、おむつ１が二つ折りに折り畳まれてパッケージに収納されて包装される場合には、その一の折り畳みライン上に情報表示部１０を設けることが好ましい。
上記構成によれば、吸収体４の吸収能力を識別可能な識別部としての情報表示部１０が設けられているので、おむつ１を図示しないパッケージから取り出した後であっても、そのおむつ１の吸収能力を識別でき、利用者に最適なおむつ１を選別して装着可能となる。
【００３０】
図４は、バックシート面の後身頃側両側縁部にファスニングテープ（Ｆａ）を設け、前身頃側バックシート面に該ファスニングテープ（Ｆａ）と係合するフロントシート（Ｆｒ）を配置した展開型の使い捨てオムツ１をおむつの外側となるバックシート面側から見た一部切り欠き平面図である。この展開型の使い捨ておむつは、着用者の胴周りでファスニングテープ（Ｆａ）をフロントシート（Ｆｒ）面に係合させることによって着用者に装着される。
本実施の形態では、フロントシート（Ｆｒ）面及び後身頃側のバックシート面に情報表示部１０が印刷表示されている。
【００３１】
情報表示部１０は、おむつ１の幅方向中央部にその長手方向（図４上下方向）に沿って４箇所に設けられている。詳しく説明すると、おむつ１の長手方向両端部2箇所に情報表示部１０が設けられているとともに、包装時の折り畳みラインＸ−Ｘ線及びＹ−Ｙ線上の２箇所に情報表示部１０が設けられ、上記実施の形態と同様に、おむつ１の使用時に情報表示部１０を視認してそのおむつ１の吸収体4の吸収能力を正確に把握できる。
【００３２】
図５は、情報表示部１０の他の表示形態を示し、具体的な表示内容の３例が図５の（ａ），図５の（ｂ），図５の（ｃ）に示されている。
図５の（ａ）に示される表示形態では、矩形枠１１内の情報表示部１５がその対角線を境として二分されている。そして、対角線を境として、その片側が黒色等で塗りつぶされ、その塗りつぶし部分に、排尿可能回数の目安を表示するものであることを意味する文字情報１２として数字「３」が白抜き表示されているとともに、他の片側に３個の図形１３が表示され、数字「３」及び図形１３の個数により排尿可能回数の目安が３回である旨を表示している。図形１３の内側には、１回の排尿吸収可能量の目安として数字「１００」が表示され、この数字「１００」により１回の排尿吸収可能量の目安が１００ｍ１である旨を表示している。
この表示形態では、矩形枠１１内の情報表示部１５の約半分が黒色等で塗りつぶされ、その塗りつぶし部分に数字「３」が白抜き表示されているので、数字「３」がバックシート面から浮き出た感じとなり、視認性が向上し、排尿可能回数の目安を容易に識別できる。
【００３３】
図５の（ｂ）に示される表示形態では、矩形枠１１内が上下方向（図５上下方向）に二分されている。そして、その上部領域に排尿可能回数の目安を表示する文字情報１２として数字「３」が表示されているとともに、下部領域が塗りつぶされ、この塗りつぶし部分に３個の図形１３が白抜き表示され、数字「３」と、図形１３の個数により排尿可能回数の目安が３回である旨を表示している。図形１３の内側には、１回の排尿吸収可能量の目安として数字「１００」が表示され、この数字「１００」により１回の排尿吸収可能量の目安が１００ｍｌである旨を表示している。
この表示形態においては、矩形枠１１内の下部領域が黒色等で塗りつぶされ、その塗りつぶし部分に３個の図形１３が白抜き表示されているので、３個の図形１３がバックシート面から浮き出た感じとなり、視認性が向上し、図５の（ａ）に示される表示形態と同様に、排尿可能回数の目安を容易に識別できる。
【００３４】
図５の（ｃ）に示される表示形態では、矩形枠１１内には、その上部情報表示部に排尿可能回数の目安を表示する文字情報１２として数字「３」が表示されているとともに、下部情報表示部に４列×４行、合わせて１６個の図形１３がマトリクス表示されている。そして、１列目ではその最下段の図形１３が塗りつぶされ、２列目では、最下段とその上の段の２つの図形１３が塗りつぶされ、３列目では最下段とその上方の２段の３つの図形１３が黒色等で塗りつぶされており、数字「３」及び塗りつぶされた図形１３の個数により排尿可能回数の目安が３回である旨を表示している。各列の塗りつぶされた図形１３の最上位の図形１３内には、それぞれ１回の排尿吸収可能量の目安として数字「１００」が白抜き表示され、この数字により１回の排尿吸収可能量の目安が１００ｍｌである旨を表示している。
この表示形態では、１６個の図形１３がマトリクス表示され、その一部を排尿可能回数に対応して塗りつぶしたので、視認性が向上し、排尿可能回数の目安を容易に識別できる。
【００３５】
上記表示形態では、矩形枠１１内の一部を黒色等で塗りつぶし、その塗りつぶし部分に排尿可能回数の目安を表示する数字「３」等を白抜き表示したが、矩形枠１１の内側領域１５の１０％以上、７０％以下の面積部分が塗りつぶされていることが望ましい。塗りつぶし面積が１０％未満であったり、あるいは塗りつぶし面積が７０％を超えると、数字「３」等の表示に気づきにくく、数字「３」等を判別しにくくなる。
【００３６】
図６は、図２に示されているタイプの吸収性物品のずれ止め部６における剥離紙８上に吸収体の吸収能力を読み取り可能な二次元バーコード１６が印刷された例を示すものである。この二次元バーコード１６をカメラつき携帯電話やバーコードリーダーで読み取ることによって、吸収体の吸収能力を識別することができる。なお、二次元バーコードは、カメラつき携帯電話やバーコードリーダーによって読み取り、テキストデータに変換することができる。
【００３７】
なお、二次元バーコード１６としては、スタック型二次元コードやマトリックス型二次元コードがある。スタック型二次元コードの例としては、ＣＯＤＥ４９〔Ｉｎｔｅｒｍｅｃ社（米国）〕、ＰＤＦ４１７〔Ｓｙｍｂｏｌ  Ｔｅｃｈｎｏｌｏｇｉｅｓ社（米国）〕など、マトリックス型二次元コードの例としては、Ｖｅｒｉ  Ｃｏｄｅ〔ＶＥＲＩＴＥＣ社（米国））、Ｄａｔａ  Ｍａｔｒｉｘ〔１．Ｄ．ＭＡＴＲＩＸ社）（米国）〕、ＱＲ  ＣＯＤＥおよびＭｉｃｒｏ  ＱＲ〔デンソー社（日本）〕などから選択することができるが、普及率が高い利便性からＱＲ  ＣＯＤＥを用いるのが好ましい。たとえば、ＱＲ  ＣＯＤＥでは、最大データ量として英数字で約４２９６文字、漢字で最大１８１７文字をコード化することができる。
【００３８】
図７は、使い捨て吸収性物品がパンツ型使い捨ておむつである、本発明のさらに別の実施の形態を示した例である。
この実施の形態では、使用後にパンツ型の使い捨ておむつを丸めて捨てるときの留めテープとなる廃棄テープ１７が配置されており、この廃棄テープ１７に識別部としての無線ＩＣチップ１８が設けられている。無線ＩＣチップ１８には、吸収体の吸収能力が読み取り可能に記録され、図示しない読み取り装置により非接触にて吸収体の吸収能力を読み取り識別できるようになっている。無線ＩＣチップ１８には、たとえば、銘柄を識別する情報（ＩＤ情報）等が割り当てられ、読み取り装置によってＩＤ情報を読み取り、データベースからデータを参照して情報をみることができる。
【００３９】
情報の内容としては、前記二次元バーコードと同様なテキスト情報以外に、音声情報又は映像情報等の情報を記録、保持させることができる。例えば、音声情報の場合、目視による正確な識別に難がある使用者でも音声によって吸収性物品の名称とその吸収能力とが発せられると吸収性物品の内容を正確に把握することができる。また、音楽情報の場合は、介護現場で心の安らぐ音楽を選択することも可能である。さらに、映像情報の場合は、使い捨て吸収性物品の好ましい着用方法の映像や、娯楽的な映像を流すことも可能である。
無線ＩＣチップ１８としては、ラベル型、カード型、コイン型、スティック型などが用いることができるが、ラベル型が好適に用いられ、用途に応じて選択することができる。通信距離は数ｍｍ程度のものから数ｍのものがあり、用途に応じて使い分けることができるが、数十ｍｍ〜数百ｍｍ程度のものが好適である。
なお、図７のパンツ型使い捨ておむつにおいても、図３に示されるよう、パンツ型使い捨ておむつを折り畳む場合に折り畳み部となる箇所、たとえば、股下部等に、さらに情報表示部１０を設けた構成のものとすることは任意である。
【００４０】
各図において、情報表示部１０に視認可能に表示される情報、二次元バーコード１６に読み取り可能に表示される情報、無線ＩＣチップ１８に読み取り可能に記憶される情報としては、使い捨て吸収性物品の交換目安となる排尿可能回数及び1回の排尿吸収可能量の少なくとも一方の情報が含まれてよく、これにより1回の排尿量が異なる個々の利用者についての想定排尿量に見合った最適の吸収能力を有する吸収性物品を選択することができる。また、夜間は長時間交換不要なタイプの吸収性物品が好まれることから、排尿可能回数を表示することは特に好ましい。さらに、吸収体の吸収能力に加え、宣伝、製造ロット番号、推奨使用期限、Ｗｅｂアドレス、価格、販売店、お客様相談室の連絡先等の情報を読み取り可能に含めるようにしても良い。
【産業上の利用可能性】
【００４１】
本発明の使い捨て吸収性物品は、パッケージから取り出した後であっても、その吸収能力を識別でき、利用者に最適な吸収性物品を選別して装着可能となるので、尿パッド、幼児用あるいは介護を必要とする高齢者や障害者用の、成人用のおむつとして好適に利用することができる。
【図面の簡単な説明】
【００４２】
【図１】本発明が適用されたパッド型使い捨ておむつの一部切り欠き平面図である。
【図２】図１のパッド型使い捨ておむつを裏面側から見た平面図である。
【図３】図１及び図２に示すパッド型使い捨てオムツを３つ折りした状態を示す図である。
【図４】本発明が適用された展開型のおむつを裏面側から見た一部切り欠き平面図である。
【図５】本発明の情報表示部の表示形態を示す図である。
【図６】本発明の他の実施の形態を図１に対応して示した平面図である。
【図７】本発明の他の実施の形態を示すパンツ型使い捨ておむつの斜視図である。
【符号の説明】
【００４３】
１  使い捨ておむつ
２  トップシート
３  バックシート
４  吸収体
５  弾性体
６  ずれ止め部
７  粘着剤層
８  剥離シート
９  文字情報
１０  情報表示部
１１  情報表示枠
１２  文字情報
１３  図形
１４  文字情報
１５  情報表示領域
１６  二次元バーコード
１７  廃棄テープ
１８  ＩＣチッフ
【図１】
2008264232.tif 000003
【図２】
2008264232.tif 000004
【図３】
2008264232.tif 000005
【図４】
2008264232.tif 000006
【図５】
2008264232.tif 000007
【図６】
2008264232.tif 000008
【図７】
2008264232.tif 000009